(57)【要約】【課題】駆動源からの回転力を受けて回転する回転軸の振動を抑制可能な電子機器を提供する。【解決手段】駆動源と、前記駆動源からの回転力を受けて回転する回転軸と、前記回転軸を回転可能に支持する支持部分とを備えた電子機器において、前記回転軸（送り軸５）が、中空部５ｘを有した軸体５ｙと、前記軸体５ｙの前記中空部５ｘ内に設けられた制振材５ｚとを備えた構成としたことを特徴とする。また、前記回転軸は、前記駆動源からの回転力を最初に受け、回転力を別の回転軸に伝達する回転軸であることを特徴とする。【選択図】図２
2012166417.tif 000002
【特許請求の範囲】
【請求項１】
駆動源と、前記駆動源からの回転力を受けて回転する回転軸と、前記回転軸を回転可能に支持する支持部分とを備えた電子機器において、
前記回転軸が、中空部を有した軸体と、前記軸体の前記中空部内に設けられた制振材とを備えた構成であることを特徴とする電子機器。
【請求項２】
前記回転軸は、前記駆動源からの回転力を最初に受け、回転力を別の回転軸に伝達する回転軸であることを特徴とする請求項１に記載の電子機器。
【請求項３】
前記回転軸は、前記軸体の前記中空部の容積と前記中空部内に充填する前記制振材の材料とを選定して前記回転軸の振動レベルの最も大きい振動周波数帯の振動を抑制するように構成されたことを特徴とする請求項１又は請求項２に記載の電子機器。
【請求項４】
前記軸体は異なる断面形状の中空部を複数備え、前記回転軸は前記軸体の複数の異なる断面形状の中空部内にそれぞれ制振材が充填されて構成されたことを特徴とする請求項１又は請求項２に記載の電子機器。
【請求項５】
前記制振材として、密度の異なる複数の材料を用いたことを特徴とする請求項１又は請求項２に記載の電子機器。
【請求項６】
前記軸体は、一部に中実な軸部を有するとともに一部に中空部を有した構成であることを特徴とする請求項１又は請求項２に記載の電子機器。
【請求項７】
電子機器がインクジェットプリンターであり、前記回転軸は、印刷対象物を前記インクジェットプリンターのケース内に取込むローラーを有した回転軸、前記ケース内に取込まれた前記印刷対象物を印刷ヘッドのインクを吐出するノズルと対面する位置に送るローラーを有した回転軸、印刷終了後の前記印刷対象物を前記ケース外に排出するローラーを有した回転軸、インクシステムに設けられた回転軸のうちの１つ以上の回転軸であることを特徴とする請求項１乃至請求項６のいずれか一項に記載の電子機器。
【発明の詳細な説明】
【技術分野】
【０００１】
本発明は、駆動源からの回転力を受けて回転する回転軸を備えた電子機器に関する。
【背景技術】
【０００２】
従来、印刷ヘッドを搭載したキャリッジをガイドする案内軸が、中空軸と中空軸の中空内に充填された制振材とにより構成された電子機器としてのインクジェットプリンターが知られている。当該構成によれば、キャリッジが案内軸上を移動する際の振動を制振材により抑制でき、騒音を抑えることができる。
【先行技術文献】
【特許文献】
【０００３】
【特許文献１】特開２００７−２０３６４３号公報
【発明の概要】
【発明が解決しようとする課題】
【０００４】
プリンター、ファクシミリ、複写機等の電子機器内には、モーターから回転力を受けて回転する様々な回転軸が設けられている。従って、回転軸が回転可能に支持された部分には、モーターの振動が回転軸を介して伝達されるので、振動による騒音の発生や、振動が電子機器内の動作部品に伝播して動作部品の動作に悪影響を与えてしまう等の可能性があった。
例えば上述した従来のインクジェットプリンターは、固定軸である案内軸を制振構造としたものであり、インクジェットプリンター内に設けられたモーターからの回転力を受けて回転する回転軸を制振構造としたものではない。従って、当該インクジェットプリンターでは、上述したように、回転軸が回転可能に支持された部分に回転軸を介してモーターの振動が伝達されてしまうので、振動による騒音の発生や、振動がインクジェットプリンター内の動作部品に伝播して動作部品の動作に悪影響を与えてしまう等の可能性があった。
本発明は、駆動源からの回転力を受けて回転する回転軸の振動を抑制可能な電子機器を提供する。
【課題を解決するための手段】
【０００５】
本発明に係る電子機器は、駆動源と、前記駆動源からの回転力を受けて回転する回転軸と、前記回転軸を回転可能に支持する支持部分とを備えた電子機器において、前記回転軸が、中空部を有した軸体と、前記軸体の前記中空部内に設けられた制振材とを備えた構成であるので、回転軸の振動を抑制でき、騒音抑制、動作部位の動作信頼性を向上できる電子機器を得ることができる。
前記回転軸は、前記駆動源からの回転力を最初に受け、回転力を別の回転軸に伝達する回転軸であるので、駆動源からの回転力を最初に受ける回転軸の振動を抑制できることから、騒音抑制、動作部位の動作信頼性の向上を、より効果的に実現できる。
前記回転軸は、前記軸体の前記中空部の容積と前記中空部内に充填する前記制振材の材料とを選定して前記回転軸の振動レベルの最も大きい振動周波数帯の振動を抑制するように構成されたので、回転軸の振動レベルの最も大きい振動周波数帯の振動を抑制でき、回転軸の振動を効果的に抑制できる。
前記軸体は異なる断面形状の中空部を複数備え、前記回転軸は前記軸体の複数の異なる断面形状の中空部内にそれぞれ制振材が充填されて構成されたので、制振材の配置形態の違いにより、それぞれ異なる振動周波数帯の振動を抑制できるようになり、回転軸の振動をより効果的に抑制できる。
前記制振材として、密度の異なる複数の材料を用いたので、密度の異なる複数の材料により、異なる複数の振動周波数帯の振動を抑制できるようになり、回転軸の振動をより効果的に抑制できる。
前記軸体は、一部に中実な軸部を有するとともに一部に中空部を有した構成であるので、異なる複数の振動周波数帯の振動を抑制できるとともに、中実な軸部により軸体の強度を強くでき、軸体を小径にでき、回転軸の小型化が図れる。
電子機器がインクジェットプリンターであり、前記回転軸は、印刷対象物を前記インクジェットプリンターのケース内に取込むローラーを有した回転軸、前記ケース内に取込まれた前記印刷対象物を印刷ヘッドのインクを吐出するノズルと対面する位置に送るローラーを有した回転軸、印刷終了後の前記印刷対象物を前記ケース外に排出するローラーを有した回転軸、インクシステムに設けられた回転軸のうちの１つ以上の回転軸であるので、騒音を抑制できるとともに、印刷ヘッド、回転軸、インクシステム等の動作部位の動作信頼性を向上でき、印刷ヘッドによる印刷精度向上が図れるインクジェットプリンターを得ることができる。
【図面の簡単な説明】
【０００６】
【図１】プリンターの内部構成を上方から見た簡略構成図（実施形態１）。
【図２】（ａ）は軸体を示す斜視図、（ｂ）は送り軸を示す正面図、（ｃ）は（ｂ）のＡ−Ａ断面図（実施形態１）。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組合せのすべてが発明の解決手段に必須であるとは限らず、選択的に採用される構成を含むものである。
【０００８】
実施形態１
図１に基づいて、実施形態１の電子機器の一例としてのインクジェットプリンター（以下、プリンターという）の全体構成を説明する。
プリンター１は、ケース（筐体）２と、ケース２に固定されたフレーム３と、ケース２に固定された駆動源の一例としての軸回転駆動用のモーター４と、送りローラー５ａを有した回転軸の一例としての送り軸（紙送り軸（ＰＦ軸））５と、キャリッジ機構６と、印刷ヘッド７と、インクシステム８とを備える。
【０００９】
フレーム３は、一体に形成された回転軸支持フレーム３ａ及びキャリッジ支持フレーム３ｂを備えた構成、又は、別体として形成された回転軸支持フレーム３ａとキャリッジ支持フレーム３ｂとが連結された構成である。
回転軸を回転可能に支持する支持部分の一例としての回転軸支持フレーム３ａは、送り軸５、送り軸５の送りローラー５ａと接触して送りローラー５ａの回転により印刷ヘッド７の位置に送られる紙等の印刷対象物１８を押さえる押さえローラー９ａを有したローラー軸９等の回転軸を支持するフレームである。
キャリッジ支持フレーム３ｂは、キャリッジ１０の上部１０ｔに係合される図外のレール条の係合部を有し、キャリッジ１０を案内軸１３の軸方向（案内軸１３の中心軸線に沿った方向）に移動可能なように支持するフレームである。
【００１０】
キャリッジ機構６は、インクを吐出する印刷ヘッド７を搭載したキャリッジ１０と、キャリッジガイド手段１１と、キャリッジ駆動機構１２とを備える。
キャリッジガイド手段１１は、上述したキャリッジ支持フレーム３ｂと案内軸１３とを備える。
案内軸１３は、キャリッジ１０に形成された軸受部１０ａを貫通して、両端がキャリッジ支持フレーム３ｂに固定される。
よって、キャリッジ１０は、互いに平行に配置された案内軸１３とキャリッジ支持フレーム３ｂのレール条の係合部とによって支持されて、一定の姿勢に維持された状態で、案内軸１３に沿って往復移動可能なように構成される。
【００１１】
キャリッジ駆動機構１２は、キャリッジ支持フレーム３ｂに固定されたキャリッジ駆動用のモーター１４と、モーター軸１４ａに固定された駆動プーリー１５と、キャリッジ支持フレーム３ｂに回転可能に取付けられた従動プーリー１６と、駆動プーリー１５と従動プーリー１６とに掛け渡されて、かつ、キャリッジ１０に連結されたタイミングベルト１７とを備える。
【００１２】
印刷ヘッド７には、キャリッジ１０に着脱可能に装着される図外のインクカートリッジ、又は、キャリッジ１０外に装着される図外のインクカートリッジからのインクが供給される。
【００１３】
モーター１４により駆動プーリー１５が回転し、キャリッジ１０が取付けられたタイミングベルト１７のベルト部分が駆動プーリー１５と従動プーリー１６との間の所定領域を往復移動することにより、キャリッジ１０が所定領域を往復移動可能に構成される。
【００１４】
尚、図外の取込ローラーにキャリッジ１０を移動させるとともに印刷ヘッド７の図外のノズルから印刷対象物１８に向けてインクを吐出させることにより、印刷対象物１８に印刷が行われる。印刷が終了した印刷対象物１８は図外の排出ローラーにより排出トレイ１９に排出される。
【００１５】
インクシステム８は、非印刷時に印刷ヘッド７のノズルを覆ってノズルの乾燥防止やノズルのインクを吸引するためのキャップ２２、図外のポンプ、廃液タンク、クリーナー等を備える。
【００１６】
軸回転駆動用のモーター４からの回転力は、例えば、動力伝達歯車や動力伝達ベルト等の動力伝達機構２０を介してまず回転軸の一例としての送り軸５に伝達され、さらに、送り軸５から図外の動力伝達機構を介して複数の軸に伝達される。例えば、送り軸５の回転力が動力伝達機構を介して、印刷対象物１８をケース２内に取込むための図外の取込ローラーを有した取込軸、上述した排出ローラーを有した排出軸等に伝達され、これら取込軸、排出軸等が回転する。
また、送り軸５の回転力が動力伝達機構２１を介して、インクシステム８のキャップ２２を上下動させるための図外の歯車軸のような回転軸にも伝達される。
【００１７】
つまり、送り軸５は、印刷対象物１８を印刷ヘッド７による印刷位置に送る際にモーター４からの回転力を受けて回転するとともに、印刷対象物１８を印刷ヘッド７による印刷位置に送る際以外にも、取込軸、排出軸等の回転軸を回転させる際や、インクシステム８のキャップ２２を上下動させる際等にモーター４からの回転力を受けて回転し、取込軸、排出軸等の回転軸、キャップ２２を上下動させるための図外の回転軸等に回転力を伝達する回転軸である。
【００１８】
プリンター１の動作を説明する。軸回転駆動用のモーター４を駆動させて送り軸５を回転させ図外の取込軸及び取込ローラーを回転させることよって印刷対象物１８がケース２内に取込まれる。また、ケース２内に取込まれた印刷対象物を、送り軸５及び送りローラー５ａを回転させて、印刷ヘッド７のインクを吐出する図外のノズルと対面させることが可能な位置まで送る。そして、キャリッジ１０を移動させて印刷ヘッド７の図外のノズルから印刷対象物１８に向けてインクを吐出させることにより、印刷対象物１８に印刷が行われる。さらに、送り軸５を回転させ図外の排出軸及び排出ローラーを回転させることにより、印刷が終了した印刷対象物１８を排出トレイ１９に排出させる。
また、非印刷時やヘッドクリーニング時において、送り軸５を回転させることによりキャップ２２を上下動させるための図外の回転軸を回転させてキャップ２２を上動させ、印刷ヘッド７のノズルをキャップ２２で覆う。
【００１９】
実施形態１では、モーター４からの回転力を動力伝達機構２０を介して最初に受け、回転力を回転力伝達機構を介してその他の回転軸に伝達する回転軸である送り軸５を、図２に示すように、中空部５ｘを有した金属製の軸体５ｙと、軸体５ｙの前記中空部５ｘ内に充填された制振材５ｚとを備えた構成とした。
制振材５ｚとしては、ゴム、樹脂、オイル、軸体５ｙとは異なる金属等を用いればよい。
例えば、両端開口の円管状の軸体５ｙの中空部５ｘ内に制振材５ｚを充填し、軸体５ｙの両端開口を蓋材５ｔ（図２（ｂ）参照）で塞ぐことにより、送り軸５を形成すればよい。尚、例えば、ゴム、樹脂、金属等の棒状固体を中空部５ｘ内に嵌合する場合には、軸体５ｙの両端開口を塞がなくてもよい。
【００２０】
実施形態１によれば、中空部５ｘを有した軸体５ｙと、軸体５ｙの前記中空部５ｘ内に充填された制振材５ｚとを備えた回転軸である送り軸５を備えたので、モーター４からの回転力を受けて回転する送り軸５の振動が制振材５ｚにより抑制されるので、送り軸５の振動を抑制できる。
従って、送り軸５を回転可能に支持する回転軸支持フレーム３ｂ及びキャリッジ支持フレーム３ａ、動力伝達機構、送り軸５以外の回転軸、インクシステム等の部位への振動伝播を抑制できる。特に、従来、送り軸５から回転軸支持フレーム３ｂ及びキャリッジ支持フレーム３ａに振動が伝播された場合に回転軸支持フレーム３ｂ及びキャリッジ支持フレーム３ａが振動しやすく、騒音源となっていたが、実施形態１によれば、送り軸５の振動を抑制できることから、回転軸支持フレーム３ｂ及びキャリッジ支持フレーム３ａの振動による騒音を抑制できる。また、送り軸５の送りローラー５ａと印刷対象物１８との接触により発生する音の振動レベルを低減できて、騒音を抑制できる。
即ち、実施形態１によれば、騒音を抑制できるとともに、印刷ヘッド７、送り軸５以外の回転軸、インクシステム８等の動作部位の動作信頼性を向上でき、しかも、印刷ヘッド７による印刷精度向上が図れるプリンター１を得ることができる。
【００２１】
実施形態２
実施形態１では、モーター４からの回転力を動力伝達機構を介して最初に受ける回転軸が送り軸５である場合を例示したが、モーター４からの回転力を動力伝達機構を介して最初に受ける回転軸が送り軸以外の回転軸（例えば、取込軸又は排出軸等）である構成のプリンターにおいては、当該回転軸を、中空部５ｘを有した軸体５ｙと、軸体５ｙの前記中空部５ｘ内に充填された制振材５ｚとを備えた構成とすればよい。
【００２２】
実施形態３
モーター４からの回転力を動力伝達機構を介して最初に受ける回転軸、及び、当該回転軸以外の複数の回転軸（例えば、取込軸、排出軸、ローラー軸、キャップ２２を上下動させるための回転軸等）のうちの１つ以上の回転軸を、中空部５ｘを有した軸体５ｙと、軸体５ｙの前記中空部５ｘ内に充填された制振材５ｚとを備えた構成としてもよい。
【００２３】
実施形態４
軸体５ｙの中空部５ｘの容積と中空部５ｘ中に充填する制振材５ｚの材料とを選定して、回転軸の回転速度に応じて決まる回転軸の振動レベルの最も大きい振動周波数帯の振動を抑制する制振構造を有した回転軸とした。
実施形態４によれば、回転軸の振動レベルの最も大きい振動周波数帯の振動を抑制できるので、回転軸の振動を効果的に抑制できる。
【００２４】
実施形態５
異なる断面形状の中空部５ｘを複数備えた軸体５ｙを用い、軸体５ｙの複数の異なる断面形状の中空部５ｘ内にそれぞれ制振材５ｚが充填されて構成された回転軸とした。
実施形態５によれば、制振材５ｚの配置形態の違いにより、それぞれ異なる振動周波数帯の振動を抑制できるようになり、回転軸の振動をより効果的に抑制できる。
【００２５】
実施形態６
制振材５ｚとして密度の異なる複数の材料を用いて構成された回転軸とした。
実施形態６によれば、密度の異なる複数の材料により、異なる複数の振動周波数帯の振動を抑制できるようになり、回転軸の振動をより効果的に抑制できる。
【００２６】
実施形態７
一部に中実な軸部を有するとともに一部に中空部５ｘを有した構成の軸体５ｙを用いて構成された回転軸とした。例えば、両端部のみ中空部５ｘに形成された軸体５ｙを用い、両端部の中空部５ｘ内に制振材５ｚを充填して構成された回転軸とした。
実施形態７によれば、異なる複数の振動周波数帯の振動を抑制できるとともに、中実な軸部により軸体５ｙの強度を強くできるので、軸体５ｙを小径にでき、回転軸の小型化が図れる。
【００２７】
実施形態８
制振材５ｚが充填されていない中空部５ｘを残した構成の回転軸とした。
実施形態によれば、異なる複数の振動周波数帯の振動を抑制できるようになり、回転軸の振動をより効果的に抑制できるとともに、回転軸の軽量化が図れる。
【００２８】
尚、本発明においては、回転軸は、回転時の回転バランスを保つように形成する。
【００２９】
また、本発明は、インクジェットプリンターのみならず、回転軸を有するファクシミリ、複写機、スキャナ装置等の電子機器に適用できる。
【符号の説明】
【００３０】
１  インクジェットプリンター、２  ケース、
４  軸回転駆動用のモーター（駆動源）、５  送り軸（回転軸）、
５ａ  送りローラー、５ｘ  中空部、５ｙ  軸体、５ｚ  制振材、
７  印刷ヘッド、８  インクシステム、１８  印刷対象物。
【図１】
2012166417.tif 000003
【図２】
2012166417.tif 000004